【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
通信方法であって、
マルチポイントツーマルチポイント（ＭＰ−ＭＰ）通信サービスの異なる第１のインスタンス及び第２のインスタンスを、ネットワークの複数のエンドポイントを接続するリンクの第１の代替的なセット及び第２の代替的なセットのそれぞれを介してプロビジョニングするステップであって、前記セットのそれぞれがネットワークノードを通過し、該ネットワークノードが前記リンクを動作させる物理層資源を提供する、ステップ、
前記第１のインスタンスを使用する前記リンクの第１のセットを介して前記通信サービスを前記エンドポイントに提供するステップ、
前記リンクの第１のセットにおいて故障を検出すると、前記ネットワークノードの少なくとも１つによって、前記第１のセット内の前記リンクの１つ又は２つ以上の前記物理層資源を非アクティブ化するステップであって、それによって、前記リンクの第１のセットにおいて接続の喪失を引き起こす、ステップ、及び
前記接続の喪失を検知することに応答して、前記エンドポイント間の通信を前記リンクの第２のセットへ自動的に転送することによって、前記第２のインスタンスを介して前記通信サービスを再開するステップ、
を含む、通信方法。
【請求項２】
請求項１に記載の方法において、前記ネットワークは、リングネットワークを含む、方法。
【請求項３】
請求項１に記載の方法において、前記通信サービスは、仮想プライベートローカルエリアネットワークサービス（ＶＰＬＳ）を含み、前記第１のインスタンス及び前記第２のインスタンスは、第１のＶＰＬＳインスタンス及び第２のＶＰＬＳインスタンスを含む、方法。
【請求項４】
請求項１〜３のいずれか一項に記載の方法において、前記通信サービスは、ブリッジングサービスを含む、方法。
【請求項５】
請求項１〜３のいずれか一項に記載の方法において、前記故障を検出するステップ、及び、前記物理層資源を非アクティブ化するステップは、
前記故障を検出するネットワークノードから他のネットワークノードへ前記故障を示すメッセージを送信するステップ、及び
別のネットワークノードによって前記物理層資源を非アクティブ化するステップであって、前記別のネットワークノードは、前記メッセージを受け取ることに応答して、前記第１のセット内の前記リンクの前記１つ又は２つ以上に前記物理層資源を提供する、ステップ、
を含む、方法。
【請求項６】
請求項５に記載の方法において、前記メッセージを送信するステップは、オープンショーテストパスファースト（ＯＳＰＦ）プロトコルのオペークリンク状態広告（ＬＳＡ）メッセージを使用して前記故障を広告するステップを含む、方法。
【請求項７】
請求項１〜３のいずれか一項に記載の方法において、前記第１のセット内の前記リンクの前記１つ又は２つ以上は、光リンクを含み、前記物理層資源を非アクティブ化するステップは、前記光リンクの各レーザ光源を無効にするステップを含む、方法。
【請求項８】
請求項１〜３のいずれか一項に記載の方法において、前記第１のセット内の前記リンクの前記１つ又は２つ以上は、有線リンクを含み、前記物理層資源を非アクティブ化するステップは、前記有線リンクの各搬送波信号を無効にするステップを含む、方法。
【請求項９】
請求項１〜３のいずれか一項に記載の方法において、前記第１のセット内の前記リンクの前記１つ又は２つ以上は、物理層自動ネゴシエーションプロトコルを使用し、前記物理層資源を非アクティブ化するステップは、前記自動ネゴシエーションプロトコル内に自動ネゴシエーションエラーを導入するステップを含む、方法。
【請求項１０】
請求項１〜３のいずれか一項に記載の方法において、前記第１のセット内の前記リンクの前記１つ又は２つ以上は、論理リンクを含み、前記物理層資源を非アクティブ化するステップは、前記通信サービスの前記第１のインスタンスとの前記論理リンクのアソシエーションを解放するステップを含む、方法。
【請求項１１】
請求項１〜３のいずれか一項に記載の方法において、前記リンクの第１のセットを定義するステップは、前記第１のセット内の前記リンクのサブセットをクリティカルリンクとして分類するステップを含み、前記故障を検出するステップは、前記故障が前記クリティカルリンクの１つで発生したときにのみ、前記物理資源を非アクティブ化するステップを含む、方法。
【請求項１２】
請求項１〜３のいずれか一項に記載の方法において、前記リンクの第１のセット及び第２のセットを定義するステップは、前記リンクの第１のセット及び第２のセットを介して通信するために確保されるネットワーク資源のそれぞれの割り当てを共有するステップを含む、方法。
【請求項１３】
複数のエンドポイントと、該エンドポイントを接続するリンクの第１の代替的なセット及び第２の代替的なセットとを含む通信ネットワークのノードであって、
前記ノードに接続される前記第１のセットのローカルリンクを動作させる物理層資源を提供するように動作するリンクインターフェースと、
通信サービスの第１のインスタンスを使用する前記ローカルリンクを介して前記エンドポイントの１つ又は２つ以上に前記サービスを提供すると共に、前記ローカルリンクにおけるローカルな故障を検出すると前記ネットワークの他のノードに通知する第１のメッセージを送信すると共に、前記リンクの第１のセットにおけるリモート故障を示す第２のメッセージを別のノードから受け取ると、前記ローカルリンクに提供される前記物理層資源を非アクティブ化するように構成されているプロセッサであって、それによって、前記リンクの第１のセットにおいて接続の喪失を引き起こし、したがって、前記エンドポイント間の通信の前記リンクの第２のセットへの自動転送と、前記リンクの第２のセットを介して前記第１のインスタンスとは異なる前記サービスの第２のインスタンスを使用して前記通信サービスの再開とを引き起こす、プロセッサと、
を備える、ノード。
【請求項１４】
請求項１３に記載のノードにおいて、前記通信ネットワークは、リングネットワークを含み、前記通信サービスは、仮想プライベートローカルエリアネットワークサービス（ＶＰＬＳ）を含み、前記第１のインスタンス及び前記第２のインスタンスは、第１のＶＰＬＳインスタンス及び第２のＶＰＬＳインスタンスを含む、ノード。
【請求項１５】
複数のエンドポイントを扱う（serve）通信ネットワークであって、
該ネットワークを介して前記エンドポイントを相互接続するリンクの少なくとも第１の代替的なセット及び第２の代替的なセットを備える複数のリンクと、
前記リンクの第１のセット及び前記リンクの第２のセットによって通過され、且つ前記リンクを動作させる物理層資源を提供すると共に、通信サービスの第１のインスタンスを使用する前記リンクの第１のセットを介して前記エンドポイントに前記サービスを提供すると共に、前記リンクの第１のセットにおける故障を検出すると、前記第１のセット内の前記リンクの１つ又は２つ以上の前記物理層資源を非アクティブ化するように構成されているネットワークノードであって、それによって、前記リンクの第１のセットにおいて接続の喪失を引き起こし、したがって、前記エンドポイント間の通信の前記リンクの第２のセットへの自動転送を引き起こし、且つ前記第１のインスタンスとは異なる前記サービスの第２のインスタンスを使用する前記リンクの第２のセットを介して前記通信サービスを再開する、ネットワークノードと、
を備える、通信ネットワーク。